(57)【要約】 【課題】  助手席や後部座席で膝に載せて使用できるとともに自動車が走行しながらのカーブ走行時の遠心力が働いてもテーブルに載せたものが滑り落ちないようにしてなる簡易テーブルを提供するにある。【解決手段】  切り込み１２、１３に紐１１を挟持取付け、後ろ側で結束してハンドル略潜らせ係止部１０を形成し、挿入片１７を片挿入部１４あるいは１５に挿入し、ハンドル略潜らせ係止部１０にハンドルＡの上部を潜らせハンドルＡに係止する。【選択図】図２
2006213191.tif 000002
【特許請求の範囲】
【請求項１】
ハンドル上に支持したりあるいは該ハンドルや助手席前のキャビネットに寄り掛けるなどするハンドル支持・寄り掛け部と、
このハンドル支持・寄り掛け部に該ハンドル支持・寄り掛け部から離れないようにテーブル状態を保持するように支持されるテーブル部と、
前記ハンドル支持・寄り掛け部に左右対向で対を形成する細縦穴からなる前記テーブル部のテーブル状態を保持するための左右一対の片挿入部と、
この左右一対の片挿入部に挿入して前記テーブル部のテーブル状態を保持するための、該テーブル部の端に突き出すように設けられた片支持部の側部側に折部で左右折できる左右一対の挿入片とからなり、
ハンドルに装着した状態において前記左右一対の片挿入部に挿し込まれ外側に折られた前記左右一対の挿入片が前記ハンドル支持・寄り掛け部とハンドルとの間に挟み付けるようにしてなることを特徴とする簡易テーブル。
【請求項２】
二つ折りの板材からなるテーブル本体と、
このテーブル本体の一方の側を形成する膝に載せる膝載せ部と、
前記テーブル本体のもう一方の側を形成するテーブル部と、
このテーブル部に適宜な間隔をあけて設けられた貫通孔からなる第１の片突き出し穴、第２の突き出し穴と、
前記膝載せ部に設けられたお越し立てて前記第１の片突き出し穴、前記第２の突き出し穴から前記テーブル部上に突き出す第１の突き出し片、第２の突き出し片と、
前記膝載せ部あるいは前記テーブル部に設けられた折下げて膝に挟持するための膝挟持片とからなることを特徴とする簡易テーブル。
【請求項３】
膝に載せてテーブルとなる膝載せ体本体と、
この膝載せ本体に設けられた折下げて膝に挟持するための膝挟持片と、
前記膝載せ体本体に設けられたドリンクホルダー部と、
このドリンクホルダー部のホルダー穴が前記膝載せ体本体を展開した状態においてホルダ受け底部となる部位から離れた部位に形成されるようにしてなることを特徴とする簡易テーブル。
【請求項４】
テーブル部と、
このテーブル部と折部で連絡され該折部で折られて該テーブル部と重なり状態となる膝載せ部と、
この膝載せ部の端方あるいは前記テーブル部の端方に設けられた、前記折部で折られ該膝載せ部と重なり状態となる前記テーブル部が当接重なり状態にならないように該膝載せ部から離れた部位に支持するための離し支持部と、
前記テーブル部の内側に設けられた折降ろすことができる折降ろしテーブル部とからなることを特徴とする簡易テーブル。
【請求項５】
折降ろしテーブル部の折部位が折部側にしてなることを特徴とする請求項４記載の簡易テーブル。
【請求項６】
離し支持部の内側である膝載せ部に指を差し込むための指入れ掴み部を設け、前記離し支持部で前記膝載せ部とテーブル部を離し支持した状態において、親指で前記テーブル部を上から抑え前記指入れ掴み部に該親指以外の指を入れてテーブルを水平に手で掴み支持することができるようにしてなることを特徴とする請求項４、５記載の簡易テーブル。
【請求項７】
膝載せ部に折降ろして膝に挟持する膝挟持片を設けてなることを特徴とする請求項４、５いずれか記載の簡易テーブル。
【請求項８】
ノートパソコン本体と、
このノートパソコン本体の底部に設けられた膝挟持片と、
この膝挟持片の下両側部に突出設けられた突出部とからなることを特徴とするノートパソコン。
【請求項９】
ノーパソコンに装着する簡易テーブルであって、
テーブル本体と、
このテーブル本体に設けられた折下げられて膝に挟持する膝挟持部と、
前記テーブル本体をノートパソコンの底部に外れないように装着するためのネジ穴、嵌合穴、嵌合突起、側部挟持部、面ファスナーなどの装着手段とからなることを特徴とするノートパソコン膝載せ簡易テーブル。
【発明の詳細な説明】
【技術分野】
【０００１】
本発明は主に膝の上に載せて使用する簡易テーブル、ノートパソコンおよびノートパソコン膝載せ簡易テーブルに関する。
【背景技術】
【０００２】
従来、
（１）特開２００１−７１８１８（自動車のハンドル等に装着するテーブル部）の図１１に、
折部で区切られたハンドル支持・寄り掛け部、テーブル支持部、テーブル部、テーブル上支持部の順に設けられたダンボール製板部材からなるテーブル本体と、
前記ハンドル支持・寄り掛け部の上部に設けられたハンドル上固定用面ファスナー付のハンドル支持上部ゴムバンドと、
前記ハンドル支持・寄り掛け部の表上部に設けられたハンドルの上部に巻いたハンドル上固定バンドの前記ハンドル上固定用面ファスナーを係止するための上部バンド係止面ファスナーと、
前記ハンドル支持・寄り掛け部の下部に設けられたハンドル下固定用面ファスナー付のハンドル支持下部ゴムバンドと、
前記ハンドル支持・寄り掛け部の表下部に設けられたハンドルの下部に巻いた前記ハンドル支持下部バンドの前記ハンドル下固定用面ファスナーを係止するための下部ハンドル係止面ファスナーと、
前記テーブル上支持部の二箇所に設けられた前記テーブル部のテーブル状態を固定するための二本のテーブル部側面ファスナーと、
このテーブル部側面ファスナーが係止されて前記テーブル部のテーブル状態が保持されるようにするための前記ハンドル支持・寄り掛け部の左右二箇所に設けられた二本のテーブル部保持面ファスナーと、
テーブル部の低部にテーブル支持部を一部接着してなる上部重ね部と、
テーブル支持部をハンドル支持・寄り掛け部を一部接着してなる下部重ね部と、
からなる技術が開示されている。
（２）特開平１１−３２１４６７（車両用多機能保持台）に、「ハンドルに掛ける取付け部材（ハンドル支持部）と、該取付け部材に回動自在に設けられたテーブルを形成する載置部材（テーブル部）と、取付け部材の背部にハンドルの上部が填まる填まり部を形成して接着などにより固定されたバンド部材からなる取付け手段とからなる車両用多機能保持台」の技術が開示されている。
（３）また、ノートパソコンは膝に自動車、電車なの椅子に座っての使用はノートパソコンをそのまま膝に載せて操作している。
【０００３】
【特許文献１】特開２００１−７１８１８
【特許文献２】特開平１１−３２１４６７
【発明の開示】
【発明が解決しようとする課題】
【０００４】
前述した従来技術のうち特開２００１−７１８１８（自動車のハンドル等に装着するテーブル部）は、
テーブル本体、
ハンドル上固定用面ファスナー、
ハンドル支持上部ゴムバンド、
上部バンド係止面ファスナー、
ハンドル下固定用面ファスナー、
ハンドル支持下部ゴムバンド、
下部バンド係止面ファスナー、
二本のテーブル部側面ファスナー、
二本のテーブル部保持面ファスナー、
という１１個の部品を用いており、この１１部品にかかるコストとともに、各部品をテーブル本体に取付けるための製造工程や作業が必要であるので、全体としたコスト高な簡易テーブルになり、ノベルティー製品などの安価の製品にでき難いという欠点があった。
特に、ハンドルには取り付けて使用できるが、助手席や後部座席では使用できない、あるいは後部座席においては面倒な前座席背部への取り付け取り外し操作が必要で面倒であるという欠点があった。
【０００５】
ハンドルのエアーバック収納部などの内側部位がハドル面より上に突出しているものについては、該内側部位がハンドル取付け部材裏側に当り、テーブルの支持使用が大変不安体になる、内側部位がクラクションの場合は、過重をかけた拍子にクラクションが鳴ってしまうという欠点を有するものであった。
また、種類の違う複数の部品から構成されているので、廃棄の際には分別をしなければならない、環境と処理経費に高負担を強いる製品になるという欠点があった。
また、上部と下部のゴムバンドをハンドルに巻いて面ファスナーで係止する構造であるので、ハンドルへの着脱が煩雑で面倒であるという欠点があった。
また、テーブル部をテーブル状態にハンドル支持・寄り掛け部に動かないように支持するのに、面ファスナーを接着して使用するためにコスト高になるという欠点があった。
また、ハンドル用テーブル以外の有効な機能を持たないという欠点があった。
前述した従来技術のうち特開平１１−３２１４６７（車両用多機能保持台  公開日１１月２４日）は、ハンドルのエアーバック収納部などの内側部位がハドル面より上に突出しているものについては、該内側部位がハンドル取付け部材裏側に当り、テーブルの支持使用が大変不安体になる、内側部位がクラクションの場合は、過重をかけた拍子にクラクションが鳴ってしまうという欠点を有するものであった。
また、バンドはコストが掛かり且つ取付けにも工程が掛かるのでコスト高になるという欠点を有していた。
また、ノートパソコンの電車や自動車などの椅子に座っての膝に載せての使用は、不安定で無意識の内に大変神経を使い疲労とストレスを生じさせ、ノートパソコンを落とす危険があるという欠点を持っていた。
【０００６】
本発明は以上のような従来の欠点に鑑み、ハンドル係止しあるいはハンドルに寄り掛けるなどして使用でき且つ助手席および後部座席でも面倒な取り付け操作を要せず使用でき、さらに部品点数が少なく且つ製造工程や作業工程の少ない安価なものを製造可能とする構成の簡易テーブルを提供することを目的としている。
また本発明の他の目的は、助手席や後部座席で膝に載せて使用できるとともに自動車が走行しながらのカーブ走行時の遠心力が働いてもテーブルに載せたものが滑り落ちないようにしてなる簡易テーブルを提供するにある。
また本発明の他の目的は、膝に載せて操作するにあたって落ちないようにとの神経を使わない疲労とストレスを大きく軽減し且つ膝上での操作を安全に行うことができるノートパソコンを提供するにある。
また本発明の他の目的は、ノートパソコンを膝に載せて操作するにあたって、ノートパソコンが膝から落ちないようにとの神経を使わない疲労とストレスを大きく軽減し且つ膝上での操作を安全に行うことができるノートパソコン膝載せ簡易テーブルを提供するにある。
【０００７】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００８】
上記目的を達成するために本発明は次に述べるような構成となっている。
（請求項１記載の発明）は、ハンドル上に支持したりあるいは該ハンドルや助手席前のキャビネットに寄り掛けるなどするハンドル支持・寄り掛け部と、このハンドル支持・寄り掛け部に該ハンドル支持・寄り掛け部から離れないようにテーブル状態を保持するように支持されるテーブル部と、前記ハンドル支持・寄り掛け部に左右対向で対を形成する細縦穴からなる前記テーブル部のテーブル状態を保持するための左右一対の片挿入部と、この左右一対の片挿入部に挿入して前記テーブル部のテーブル状態を保持するための、該テーブル部の端に突き出すように設けられた片支持部の側部側に折部で左右折できる左右一対の挿入片とで、ハンドルに装着した状態において前記左右一対の片挿入部に挿し込まれ外側に折られた前記左右一対の挿入片が前記ハンドル支持・寄り掛け部とハンドルとの間に挟み付けるようにしてなる簡易テーブルを構成している。
【０００９】
（制球項２記載の発明）は、二つ折りの板材からなるテーブル本体と、このテーブル本体の一方の側を形成する膝に載せる膝載せ部と、前記テーブル本体のもう一方の側を形成するテーブル部と、このテーブル部に適宜な間隔をあけて設けられた貫通孔からなる第１の片突き出し穴、第２の突き出し穴と、前記膝載せ部に設けられたお越し立てて前記第１の片突き出し穴、前記第２の突き出し穴から前記テーブル部上に突き出す第１の突き出し片、第２の突き出し片と、前記膝載せ部あるいは前記テーブル部に設けられた折下げて膝に挟持するための膝挟持片とで簡易テーブルを構成している。
【００１０】
（請求項３記載の発明）は、膝に載せてテーブルとなる膝載せ体本体と、この膝載せ本体に設けられた折下げて膝に挟持するための膝挟持片と、前記膝載せ体本体に設けられたドリンクホルダー部とで、このドリンクホルダー部のホルダー穴が前記膝載せ体本体を展開した状態においてホルダ受け底部となる部位から離れた部位に形成されるようにしてなる簡易テーブルを構成している。
【００１１】
（請求項４記載の発明）は、テーブル部と、このテーブル部と折部で連絡され該折部で折られて該テーブル部と重なり状態となる膝載せ部と、この膝載せ部の端方あるいは前記テーブル部の端方に設けられた、前記折部で折られ該膝載せ部と重なり状態となる前記テーブル部が当接重なり状態にならないように該膝載せ部から離れた部位に支持するための離し支持部と、前記テーブル部の内側に設けられた折降ろすことができる折降ろしテーブル部とで簡易テーブルを構成している。
【００１２】
（請求項５記載の発明）は、前記（請求項３記載の発明）において、折降ろしテーブル部の折部位が折部側にしてなる簡易テーブルを構成している。
【００１３】
（請求項６記載の発明）は、前記（請求項４記載の発明）あるいは（請求項５記載の発明）において、離し支持部の内側である膝載せ部に指を差し込むための指入れ掴み部を設け、前記離し支持部で前記膝載せ部とテーブル部を離し支持した状態において、親指で前記テーブル部を上から抑え前記指入れ掴み部に該親指以外の指を入れてテーブルを水平に手で掴み支持することができるようにしてなる簡易テーブルを構成している。
【００１４】
（請求項７記載の発明）は、前記（請求項４記載の発明）、（請求項５記載の発明）あるいは（請求項６記載の発明）において、膝載せ部に折降ろして膝に挟持する膝挟持片を設けてなる簡易テーブルを構成している。
【００１５】
（請求項８記載の発明）は、ノートパソコン本体と、このノートパソコン本体の底部に設けられた膝挟持片と、この膝挟持片の下両側部に突出設けられた突出部とでノートパソコンを構成している。
【００１６】
（請求項９記載の発明）は、ノーパソコンに装着する簡易テーブルであって、テーブル本体と、このテーブル本体に設けられた折下げられて膝に挟持する膝挟持部と、前記テーブル本体をノートパソコンの底部に外れないように装着するためのネジ穴、嵌合穴、嵌合突起、側部挟持部、面ファスナーなどの装着手段とでノートパソコン膝載せ簡易テーブルを構成している。
【発明の効果】
【００１７】
以上の説明から明らかなように、本発明にあっては次に列挙する効果が得られる。
【００１８】
（請求項１記載の発明）
ハンドル上に支持したりあるいは該ハンドルや助手席前のキャビネットに寄り掛けるなどするハンドル支持・寄り掛け部と、このハンドル支持・寄り掛け部に該ハンドル支持・寄り掛け部から離れないようにテーブル状態を保持するように支持されるテーブル部と、前記ハンドル支持・寄り掛け部に左右対向で対を形成する細縦穴からなる前記テーブル部のテーブル状態を保持するための左右一対の片挿入部と、この左右一対の片挿入部に挿入して前記テーブル部のテーブル状態を保持するための、該テーブル部の端に突き出すように設けられた片支持部の側部側に折部で左右折できる左右一対の挿入片とで、ハンドルに装着した状態において前記左右一対の片挿入部に挿し込まれ外側に折られた前記左右一対の挿入片が前記ハンドル支持・寄り掛け部とハンドルとの間に挟み付けるようにしてなる簡易テーブルを構成しているので、一発打ち抜きのダンボール部材などの安価な成型品位より安価なハンドル用テーブルを実現するとともに、停車時はハンドルに被せて日除けとすることができ、捨てられず時々あるいは頻繁に使用されるので載せた広告を繰り返し見てくれるという従来の広告媒体では得られない優れた広告媒体としての機能を果たすという効果を得ることができる。
【００１９】
（請求項２記載の発明）
二つ折りの板材からなるテーブル本体と、このテーブル本体の一方の側を形成する膝に載せる膝載せ部と、前記テーブル本体のもう一方の側を形成するテーブル部と、このテーブル部に適宜な間隔をあけて設けられた貫通孔からなる第１の片突き出し穴、第２の突き出し穴と、前記膝載せ部に設けられたお越し立てて前記第１の片突き出し穴、前記第２の突き出し穴から前記テーブル部上に突き出す第１の突き出し片、第２の突き出し片と、前記膝載せ部あるいは前記テーブル部に設けられた折下げて膝に挟持するための膝挟持片とで簡易テーブルを構成してなるものは、走行中の車中で助手席や後部座席で膝に載せ使用していて、カーブなどで遠心力がかかっても載せているものはテーブル上に突き出した突き出し片にぶつかるので滑り落ちることがないという効果を得ることができる。
【００２０】
（請求項３記載の発明）
膝に載せてテーブルとなる膝載せ体本体と、この膝載せ本体に設けられた折下げて膝に挟持するための膝挟持片と、前記膝載せ体本体に設けられたドリンクホルダー部とで、このドリンクホルダー部のホルダー穴が前記膝載せ体本体を展開した状態においてホルダ受け底部となる部位から離れた部位に形成されるようにしてなる簡易テーブルを構成してなるものは、ホルダー穴がドリンク受け底から高い部位に位置されているのでドリンク容器を確実に倒れないように支持できるとともに、ドリンク受け底があるから冷却ドリンクの水滴や熱いドリンクの熱が腿に影響を与える心配をすることなく使用できるという効果を得ることができる。
【００２１】
（請求項４記載の発明）
テーブル部の内側に折降ろすことができる折降ろしテーブル部を設けた構成としたので、降ろしテーブル部を折降ろした状態ではその周囲上部にはテーブル部の縁があるようになるので、降ろしテーブル部に載せた物はテーブル部の縁に当るので載せた物が落ちないという効果を得ることができる。
これにより、自動車の走行中の遠心力の作用があっても降ろしテーブル部上の物は滑り転がり落ちない、降ろしテーブル部上に物を載せて簡易テーブルを手に持って物を落とさないように移動させたり歩行することができる。
【００２２】
（請求項５記載の発明）は、折降ろしテーブル部の折部位が折部側にしてなるものであるので、前記（請求項３記載の発明）の発明の効果に加えて、簡易テーブルを膝に載せた場合テーブル部は膝先の方が高くなる傾斜状態となるが、降ろしテーブル部は逆に膝先のほうがわずかに低くなる傾斜状態となり、降ろしテーブル部は水平に近い状態となり使用し易いテーブルを実現するという効果を得ることができる。
【００２３】
（請求項６記載の発明）は、離し支持部の内側である膝載せ部に指を差し込むための指入れ掴み部を設け、前記離し支持部で前記膝載せ部とテーブル部を離し支持した状態において、親指で前記テーブル部を上から抑え前記指入れ掴み部に該親指以外の指を入れてテーブルを水平に手で掴み支持することができるようにしてなるものであるので、前記（請求項４記載の発明）あるいは（請求項５記載の発明）の効果に加えて、確りと片手で掴み水平に持って物を載せ歩行することができるという効果を得ることができる。
球戯場などでの観戦などにおいて、売店で購入した食べ物が落ちないように載せ、片手で持ち観戦席まで歩行して運ぶことができる。
【００２４】
（請求項７記載の発明）は、膝載せ部に折降ろして膝に挟持する膝挟持片を設けてなるものであるので前記（請求項４記載の発明）、（請求項５記載の発明）あるいは（請求項６記載の発明）の効果に加えて膝上に安定的に置き支持して使用することができるという効果を得ることができる。
【００２５】
（請求項８記載の発明）
ノートパソコン本体と、このノートパソコン本体の底部に設けられた膝挟持片と、この膝挟持片の下両側部に突出設けられた突出部とでノートパソコンを構成してなるので、膝が緩んでも突出部により挟持片が膝から外れないように防止され、ノートパソコンのより安全・安心な使用ができるという効果を得ることができる。
【００２６】
（請求項９記載の発明）
ノーパソコンに装着する簡易テーブルであって、テーブル本体と、このテーブル本体に設けられた折下げられて膝に挟持する膝挟持部と、前記テーブル本体をノートパソコンの底部に外れないように装着するためのネジ穴、嵌合穴、嵌合突起、側部挟持部、面ファスナーなどの装着手段とでノートパソコン膝載せ簡易テーブルを構成してなるので、ノートパソコンに常にノートパソコン膝載せ簡易テーブルを装着しておけるので、いつでもどこでもノートパソコンを膝に載せて、膝挟持片を膝に挟みストレスなく安全に操作することができるという効果を得ることができる。
【発明を実施するための最良の形態】
【００２７】
以下、図面に示す発明を実施するための最良の形態により、本発明を詳細に説明する。
【００２８】
図１ないし図７に示す本発明の第１の実施の形態において１は簡易テーブルであって、この簡易テーブル１は展開図である図１の状態からみて、ハンドル上に支持されるハンドル支持・寄り掛け部２、このハンドル支持・寄り掛け部２の下部に折部３で区切られ連絡設けられたテーブル支持部４、このテーブル支持部４の下部に折部５で区切られ連絡された該４によりテーブル状態を下方から支持される該４よりも少し短い幅のテーブル部６、このテーブル部６のテーブル状態をハンドル支持・寄り掛け部２に係わって支持するためのテーブル部６の下部に折部７で区切られ連絡設けられたテーブル上支持部８とからなるテーブル本体９と、ハンドル支持・寄り掛け部２の上部に設けられた、ハンドルＡの上部の一部を略潜らせてハンドル支持・寄り掛け部２をハンドルＡ上に略下げるように係止支持するためのハンドル略潜らせ係止部１０を形成する、使用者が結び調節する紐１１を取付けるための切り込み１２、１３と、ハンドル支持・寄り掛け部２にテーブル部６のテーブル状態を保持するための上下に間隔を空けて設けた片挿入部１４、１５と、ハンドル支持・寄り掛け部２に重なる重なり部であるテーブル上部支持部８の略中央に根元側に折部１６を設けてなる片挿入部１４ないし１５に挿入され且つハンドル支持・寄り掛け部２とハンドルＡあるいはハンドルＡを支持する部位の間に略挟まれて、テーブル部６のテーブル状態を支持し且つ該６がハンドル支持・寄り掛け部２から離れないようにするための挿入片１７と、折部３上に設けられた挿入片１７を下方に突き出して膝で挟むことが出来るようにするための片挿入部２２とからなっている。２３は円孔からなるドリンクホルダーである。
片挿入部２２の位置は折部３上に限定されるものではなく、ハンドル支持・寄り掛け部２あるいはテーブル支持部４に設けるのもよく、またハンドル支持・寄り掛け部２からテーブル支持部４にかけてある程度上下幅を有して挿入片１７が前後にある程度動かして使用しやすい位置に調節することが可能とするものもよい。
表面１８の表面には、リン酸ジルコニュームが酸化チタン粒子に島状に担持されたコンペイト形態の光触媒粒子がパルプ繊維に多数担持されて且つ墨などの炭素系素材などにより濃い灰色から略黒色になっている。
【００２９】
図２および図４において、切り込み１２、１３に紐１１を挟持取付け、後ろ側で結束してハンドル略潜らせ係止部１０を形成し、挿入片１７を片挿入部１４あるいは１５に挿入し、ハンドル略潜らせ係止部１０にハンドルＡの上部を潜らせハンドルＡに係止する。
図５において、表面１８を表側になるように折部３で二つ折りにした状態にでき、この状態で助手席に置いたり、適当なところに挟み置いたり、フロントに置くことが容易にできる。
図６において、表面１８を上にしてハンドルＡとフロントにかけて覆い被せて、ハンドルＡおよびフロントに太陽光線が直接当たるのを防ぐように使用している。フロント略全体を覆うことも、フロントに立てかけてフロントガラス側からの太陽光線の車内への入射を阻止したりすることもできる。
テーブル本体９の幅は３９センチ程度にしてハンドルＡ全体を覆う幅となっている。テーブル本体９の長さは１０６センチ程度にしてある。
こうした表面１８を表にしてフロント側に広げ置くことにより、太陽光線が大量に光触媒にあたり、光触媒機能を活発にして車内の有害ガスや臭気ガスを参加し無害化／無臭化してクリーンな車内にして行く。
切り込み１２、１３以外にハンドルへの取付高さを選べる他の切込みを設けておくのが良い。
ハンドル支持・寄り掛け部の上部は略湾曲形態にしたり、瓶や、動物や、マークなどの何らかのものを表現する形態とするなどもよい。
挿入片１７の両側に形成されている重なり部１９、２０の根元側に前方に折出せるようにして、雑誌を下部で支持し且つページが開かないように係止する本支持部（図示せず）を設けるのがよい。
コンビニで弁当など買い雑誌を買って、冷暖房の車内で雑誌を見ながら弁当をテーブル部に置き、好きな音楽やニュースを聴き観ながら快適な時間を過ごすことができる。
また、図３のごとく、車を停車させ即座にハンドルテーブル部を形成し、ノートパソコンをおいて操作ができるなど、車中での仕事などの処理を快適にこなすための便利な機能が発揮される。
テーブル本体をダンボール製とすることにより、一回打ち抜きの２部品からなる極めて安価な、ノベルティーとしても最適な簡易テーブルを実現している。
また、図７、図８に示すように挿入片１７を片挿入部２２に挿し込んで挿入片１７を下方に突き出して膝に挟むことにより運転手のみならず、助手席者、後部座席者も膝において安定した簡易テーブルとして使用できるものである。
このように使用するのみであるなら、当然のことながら、紐、切り込み必要ないので、これらの構成を除いた簡易テーブルとするのもよい。このような構成とすることにより、ハンドル支持・寄り掛け部２に広告を表示する場合、より広い穴の無い部分を広告部分として使用できるので、広告料のアップ、見た目を向上させるという効果を得ることができる。
【００３０】
以下の本発明を実施するための形態の説明に当たって、本発明を実施するための前述したの実施の形態と同一構成部分には同一符号を付して重複する説明を省略する。
【００３１】
図８および図９に示す本発明の第２の実施の形態において前記第１の実施の形態と主に異なる点は、テーブル部６に適宜な間隔をあけて片突き出し穴２５、２６を設け、テーブル支持部４にお越し立てて片突き出し穴２５、２６からテーブル部６上に突き出す突き出し片２７、２８を設け、折部３上に片挿入孔２９、３０を設け、テーブル部６の左右上部にテーブル支持部４とテーブル部６を重ねた場合に、テーブル支持部４とテーブル部６の間に位置して該４、６間にある程度の隙間を形成するようにする隙間形成部３１、３２を設け、該３１、３２の端に片挿入孔２９、３０に填まる突起３３、３４が設けられ、片挿入部２２に変えてテーブル支持部４とテーブル部６に跨る、挿し込まれた挿入片１７を前後に自在に動かして好みの位置で膝に挟めるようにした形態の幅広の片挿入部３５とした簡易テーブル３６を形成した点にある。
助手席や後部座席などで自動車走行中に膝上にテーブルを形成して使用した場合に、カーブ走行時による遠心力でテーブル上に置いてあるものが滑り落ちるのを、テーブル上に突き出した突き出し片２７、２８で止めることができる。
膝に載せての使用においては、テーブル支持部４は膝載せ部である。
【００３２】
図１０および図１１に示す本発明の第３の実施の形態において前記第１の実施の形態と主に異なる点は、ハンドル支持・寄り掛け部２に左右対向で対を成す細縦穴からなる片挿入部３７、３８、３９、４０、４１、４２を設け、該３７〜４２に挿入する左右対向で対を成す挿入片４３、４４をテーブル部６の端に突き出した片支持部４５、４６の側部側に折部４７、４８で左右折できるように設けてなる簡易テーブル４９を形成した点にある。
挿入片４３、４４を片挿入部３７、３８、片挿入部３９、４０、片挿入部４１、４２のいずれかに挿入し、挿入片４３、４４を外側に折りハンドル支持・寄り掛け部２とハンドルＡとの間に挟持してテーブル６のテーブル状態を支持するようになっている。
挿入片４３、４４のテーブル支持位置ち挿入片２２のテーブル支持位置は同じであり、両方によりテーブル支持を行うことも、いずれか一方でテーブル支持を行うことも可能である。
挿入片４３、４４は挟持状態において外側に突き出すように長く形成されている。
【００３３】
図１２に示す本発明の第４の実施の形態において前記第２の実施の形態と主に異なる点は、ハンドル支持・寄り掛け部２をなくした膝載せテーブルとした簡易テーブル５２を形成した点にある。
片挿入孔２９、３０と突起３３、３４の設け部位は逆となっている。
テーブル部６には円形ミシン目５４で抜き形成することができる、釜飯などの椀状容器を安定的に載せるための保持穴５５が設けられている。
テーブル支持部４であった膝載せ部５６には膝に挟むための膝挟持片５７が折降ろすことができるように設けられている。
【００３４】
図１３に示す本発明の第５の実施の形態において５８は簡易テーブルであって、この簡易手ブール５８は膝に載せ置くテーブル本体５９と、このテーブル本体５９から突き出し形成されて膝挟持片６０と、該６０と同じ様に突き出し形成された、折浮かせて形成するドリンクホルダー形成部６１とからなっている。
ドリンクホルダー形成部６１は、円形孔のホルダー部６２（ホルダー穴）と立ち上げ部６３、６４と、該６４から突出した支持片６５とからなっている。
テーブル部本体５９には支持片６５が挿入されてドリンクホルダー形成部６１のホルダー形成状態を支持するための片挿入部６６が設けられている。
材料が少ないので安価にできる。
【００３５】
図１４に示す本発明の第６の実施の形態において６９はノートパソコンであって、このノートパソコン６９はノートパソコン本体７４の底部に貼り付けた折目７０で回動できる膝に挟持する膝挟持片７１と、該７１に下両側に突出した突出部７２、７３をとからなっている。
突出部７２、７３により膝が少し緩んでも突出部７２、７３が引っ掛かって抜けることがないので安全である。
【００３６】
図１５に示す本発明の第７の実施の形態において前記本発明の第６の実施の形態と主に異なる点は、膝挟持片７１を収納する収納部７６をノートパソコン本体７４の底部に設けたノートパソコン７７を形成した点にある。
【００３７】
図１６に示す本発明の第８の実施の形態において８０はノートパソコン膝載せ簡易テーブルであって、このノートパソコン膝載せ簡易テーブル８０は平板状のテーブル本体８１と、このテーブル本体８１の上部全体に貼り敷かれた低反発性クッション部材８２と、テーブル本体８１の一部を下方に回動自在に形成した膝挟持片８３とからなっている。
低反発性クッション部材８２に載せられたノートパソコン８４は、自重により底部の脚突起などの凸部が低反発性クッション部材８２に食い込み滑り落ちないように支持される。
【００３８】
図１７に示す本発明の第９の実施の形態において８６はノートパソコン膝載せ簡易テーブルであって、このノートパソコン膝載せ簡易テーブル８６は平板状のテーブル本体８７と、このテーブル本体８７の四隅に該８７と一体成型により立ち形成されたパソコン保持部８８、８９、９０、９１と、テーブル本体８７の４箇所にあけられたノートパソコンの脚突起が填まる突起填まり部９２、９３、９４、９５と、テーブル本体８７に下方に回動自在に一体形成により形成された膝挟持片７１とからなっている。
ノートパソコン膝載せ簡易テーブル８６のような構成であって、ノートパソコンにピッタリとフィットした形態にして、ノートパソコンをパソコン保持部８８、８９、９０、９１で外れないように挟持保持するようにするのがよい。こうすることによりノートパソコン膝載せ簡易テーブルをノートパソコンに装着したまま携帯することができるようにするのがよい。
この様にするため、パソコン保持部８８、８９、９０、９１の内側上部等にパソコン装着手段である小突起を設け、該小突起がパソコンの上部に被り係止されるようにするのがよい。
【００３９】
単なる平板状のテーブル本体に膝挟持片７１や８１を一体形成して設け、テーブル本体にネジや嵌合突起を貫通させる孔を４箇所ほど設け、ノートパソコンの底部に設けたネジ穴や嵌合穴に前記ネジや嵌合突起を螺合や嵌合して、ノートパソコン底部にノートパソコン膝載せ簡易テーブルを装着するのがよい。
また、面ファスナーで装着するのもよい。
すなわち、これらパソコン装着手段によりノートパソコン底部にノートパソコン膝載せ簡易テーブルを装着出来るような形態にするようにするのがよい。
テーブル本体の側部に該本体と一体成型からなるバンドに端方に嵌合突起からなる装着手段を４箇所ほど該本体と一体成型で設け、テーブル本体の４箇所にノートパソコンの嵌合穴と重なる貫通孔を設け、前記装着手段を貫通孔を通し嵌合穴に嵌合することによりノートパソコン膝載せ簡易テーブルを装着できる。
全ての構成部位が一回の成型で一体的に形成できるので、あんかである。
【００４０】
図１８ないし図２０に示す本発明の第１０の実施の形態において１００は簡易テーブルであって、この簡易テーブル１００はテーブル部１０１と、このテーブル部１０１と折部１０２で連絡され該１０２で折られてテーブル部１０１と重なり状態となる膝載せ部１０３と、この膝載せ部１０３の端方に設けられた、折部１０２で折られ膝載せ部１０３と重なり状態となるテーブル部１０１が当接重なり状態にならないように膝載せ部１０３から離れた部位に支持するための離し支持部１０４と、テーブル部の内側に設けられた折部位１０５が折部１０２側に折降ろすことができる折降ろしテーブル部１０６と、離し支持部１０４の内側である膝載せ部１０３に設けた、指を差し込むための指入れ掴み部１０７と、膝載せ部１０３に設けた折降ろした降ろしテーブル部１０６が上がらないにように係止するための起し片からなる降ろし状態係止片１０８と、テーブル部１０１のあけられたドリンクホルダー部１０９と、離し支持部１０４の突出設けられた嵌込部１１０と、テーブル部１０１にあけられた嵌込部１１０が嵌る嵌り部１１１と、膝載せ部１０３に設けられた折降ろして膝に挟持する膝挟持片１１２と、指入れ掴み部１０７を形成する起し片からなる強度を強くし且つ指を当てつかみ易くするための指当て片１１３と、降ろしテーブル部１０６の先方に設けられた指入れ掴み部１０７に入れた指を避けるように設けられた指避部１１４とからなっている。
従来技術のものは、片手で確りと掴み持つことができず、片手でテーブルの水平を保ちながら歩行運びがし難いという欠点があった。本発明の目的は、片手で確りと掴み持って安定的に歩行運びができる簡易テーブルを提供するにある。
【００４１】
図２１ないし図２２に示す本発明の第１１の実施の形態において前記本発明の第１０の実施の形態と主に異なる点は、嵌込部を外側に広がりテーパー形態の嵌込部１２０にし、嵌込部１２０が嵌る嵌り部を外側に狭まりテーパー形態の嵌り部１２１とした簡易テーブル１２２を形成した点にある。
折部１０２で二つ折りにし、折部１１５を折って離し支持部１０４を折上げ、嵌込部１２０を嵌り部１２１に通し嵌めると、離し支持部１０４の外側に戻ろうとする付勢力により嵌込部１２０は外側に行き、これにより嵌込部１２０の狭い根元と嵌り部１２１の狭い側が係合して抜けないように係合状態に自然となり、この係合状態は自然には解除されないものであり、且つ、嵌込部１２０を内側に指で押すだけで簡単に解除できるので、使用安定性が大変によいものである。
嵌り部１２１は嵌込部１２０の厚みよりも遥かに幅の広い形態となるので、嵌込部１２０は嵌り部１２１に簡単に嵌ることができ且つ外すこともできるので、この点でも大変使用感のよいものとできる。
また、製造の際に嵌り部１２１が幅広となっているので、作業者が抜き屑を抜くのが大変に容易に素早く行なえるものとできる。
【００４２】
図２３に示す本発明の第１２の実施の形態において前記本発明の第１１の実施の形態と主に異なる点は、折降ろしテーブル部をドリンクホルダー部１０９の一部を含む広さにした折降ろしテーブル部１２５としてなる簡易テーブル１２６を形成した点にある。
【産業上の利用可能性】
【００４３】
本発明はダンボール製品やプラスチック製品を製造する産業や販売促進グッズを活用する産業で利用される。
【図面の簡単な説明】
【００４４】
【図１】本発明の第１の実施の形態の展開図。
【図２】本発明の第１の実施の形態の取付け状態表斜視図。
【図３】本発明の第１の実施の形態の使用状態表斜視図。
【図４】本発明の第１の実施の形態の取付け状態裏斜視図。
【図５】本発明の第１の実施の形態の二つ折り斜視図。
【図６】本発明の第１の実施の形態のハンドルに被せた斜視図。
【図７】本発明の第１の実施の形態の後部座席での使用状態斜視図。
【図８】本発明の第２の実施の形態の展開図。
【図９】本発明の第２の実施の形態の助手席での使用状態斜視図。
【図１０】本発明の第３の実施の形態の展開図。
【図１１】本発明の第３の実施の形態の助手席での使用状態斜視図。
【図１２】本発明の第４の実施の形態の展開図。
【図１３】本発明の第５の実施の形態の展開図および組立て斜視図。
【図１４】本発明の第６の実施の形態の斜視図。
【図１５】本発明の第７の実施の形態の斜視図。
【図１６】本発明の第８の実施の形態の斜視図および取り付け状態斜視図。
【図１７】本発明の第９の実施の形態の斜視図。
【図１８】本発明の第１０の実施の形態の展開図。
【図１９】本発明の第１０の実施の形態の組立て斜視図。
【図２０】本発明の第１０の実施の形態の組み立てて手で掴み持った状態斜視図。
【図２１】本発明の第１１の実施の形態の展開図。
【図２２】本発明の第１１の実施の形態の組み立てて手で掴み持った状態斜視図。
【図２３】本発明の第１２の実施の形態の展開図。
【符号の説明】
【００４５】
１：簡易テーブル
２：ハンドル支持・寄り掛け部
３：折部
４：テーブル支持部
５：折部
６：テーブル部
７：折部
８：テーブル上支持部
９：テーブル本体
１０：ハンドル略潜らせ係止部
１１：紐
１２：切り込み
１３：切り込み
１４：片挿入部
１５：片挿入部
１６：折部
１７：挿入片
１８：表面
１９：重なり部
２０：重なり部
２１：裏面
２２：片挿入部
２３：ドリンクホルダー
２５：片突き出し穴
２６：片突き出し穴
２７：突き出し片
２８：突き出し片
２９：片挿入孔
３０：片挿入孔
３１：隙間形成部
３２：隙間形成部
３３：突起
３４：突起
３５：片挿入部
３６：簡易テーブル
３７：片挿入部
３８：片挿入部
３９：片挿入部
４０：片挿入部
４１：片挿入部
４２：片挿入部
４３：挿入片
４４：挿入片
４５：片支持部
４６：片支持部
４７：折部
４８：折部
４９：簡易テーブル
５２：簡易テーブル
５４：円形ミシン目
５５：保持穴
５６：膝載せ部
５８：簡易手ブール
５９：テーブル本体
６０：膝挟持片
６１：ドリンクホルダー形成
６２：ホルダー部
６３：立ち上げ部
６４：立ち上げ部立ち上げ部
６５：支持片
６６：片挿入部
６９：ノートパソコン
７０：折目
７１：膝挟持片
７２：突出部
７３：突出部
７４：ノートパソコン本体
７６：収納部
７７：ノートパソコン
８０：ノートパソコン膝載せ簡易テーブル
８１：テーブル本体
８２：低反発性クッション部材
８３：膝挟持片
８４：ノートパソコン
８６：ノートパソコン膝載せ簡易テーブル
８７：テーブル本体
８８：パソコン保持部
８９：パソコン保持部
９０：パソコン保持部
９１：パソコン保持部
９２：突起填まり部
９３：突起填まり部
９４：突起填まり部
９５：突起填まり部
１００：簡易テーブル
１０１：テーブル部
１０２：折部
１０３：膝載せ部
１０４：離し支持部
１０５：折部位
１０６：折降ろしテーブル部
１０７：指入れ掴み部
１０８：降ろし状態係止部
１０９：ドリンクホルダー部
１１０：嵌込部
１１１：嵌り部
１１２：膝挟持片
１１３：指当て片
１１４：指避部
１１５：折部
１１６：折部
１１７：折部
１１８：指入れ穴
１２０：嵌込部
１２１：嵌り部
１２２：簡易テーブル
１２５：折降ろしテーブル部
１２６：簡易テーブル。
【図１】
2006213191.tif 000003
【図２】
2006213191.tif 000004
【図３】
2006213191.tif 000005
【図４】
2006213191.tif 000006
【図５】
2006213191.tif 000007
【図６】
2006213191.tif 000008
【図７】
2006213191.tif 000009
【図８】
2006213191.tif 000010
【図９】
2006213191.tif 000011
【図１０】
2006213191.tif 000012
【図１１】
2006213191.tif 000013
【図１２】
2006213191.tif 000014
【図１３】
2006213191.tif 000015
【図１４】
2006213191.tif 000016
【図１５】
2006213191.tif 000017
【図１６】
2006213191.tif 000018
【図１７】
2006213191.tif 000019
【図１８】
2006213191.tif 000020
【図１９】
2006213191.tif 000021
【図２０】
2006213191.tif 000022
【図２１】
2006213191.tif 000023
【図２２】
2006213191.tif 000024
【図２３】
2006213191.tif 000025